(57)【要約】【課題】  ユーザのお好み操作項目を操作キーに対して本来の操作以外に設定して、迅速且つ簡便な操作を可能とする。【解決手段】  リモコン１のキーに対してユーザがお好みの操作項目を設定する場合に、テレビジョンモニタ６に設定メニューを表示する。メインＣＰＵ３はＥＥＰＲＯＭ４から設定情報を読み出し、この情報に基づいてＯＳＤ制御回路５にてお好みメニュー設定画面の表示画像データを生成させてテレビジョンモニタ６に表示させる。ユーザは、この設定メニュー画面を利用してリモコン１によりお好み設定を行い、メインＣＰＵ３は、お好み設定の情報をＥＥＰＲＯＭ４に格納する。【選択図】図１
2006295805.tif 000002
【特許請求の範囲】
【請求項１】
操作キーに対して本来の操作以外の操作をお好み操作として設定することが可能な操作部と、
操作キーに対応づけた操作内容の操作項目を記憶する記憶部と、
お好み操作に関する画面を表示する表示部と、
前記操作項目の情報を前記記憶部から読み出し、操作キーに対応づけて前記表示部に一覧表示させ、新たな設定あるいは変更設定された項目を前記記憶部に記憶させる制御部とを備えたことを特徴とするお好み操作設定装置。
【請求項２】
前記制御部は、前記表示部に複数の操作項目を同時にお好み操作設定画面として表示させて設定させることを特徴する請求項１に記載のお好み操作設定装置。
【請求項３】
前記制御部は、お好み操作設定のモードになったときに複数操作項目のお好み操作設定画面を表示させることを特徴とする請求項２に記載のお好み操作設定装置。
【請求項４】
前記制御部は、前記表示部に一覧表示された操作項目の中で指定された項目のみをお好み設定画面として前記一覧表示と共に表示させて設定させることを特徴とする請求項１に記載のお好み操作設定装置。
【請求項５】
前記制御部は、お好み操作による操作を行なうモードであるときに、指定された項目のみをお好み設定画面として表示させることを特徴とする請求項４に記載のお好み操作設定装置。
【発明の詳細な説明】
【技術分野】
【０００１】
本発明は、デジタルテレビジョン受信機等にあって、リモコン等の操作部の操作キーにお好み操作項目を登録しておき、操作を簡便にするお好み操作項目登録装置に関する。
【背景技術】
【０００２】
近年、衛星放送や地上波放送において、デジタル方式によるテレビ放送が実用化され、１００チャンネルを超える多チャンネルの番組が放送される。デジタル放送にあっては、番組の映像データや音声データ以外のデータ送信も可能であるため、電子番組ガイド（ＥＰＧ：Electrical Program Guide）をデータとして送信して、それをテレビジョン受信装置の画面表示させてユーザが番組選択を行なえるようになっている。また、機能が豊富になってきているので、リモコンのキーが増える傾向にある。
【０００３】
デジタル放送では、チャンネル数があまりに多いため、ユーザが所望の番組を選択するための操作が煩雑であった。そこで、後述する特許文献１では、過去に受信した番組に関する履歴が記憶され、この履歴に対応して、番組を選択するためのチャンネルロゴマークが表示されるものが開示されている。このマークを選択することにより、ユーザが所望の番組を容易に、しかも迅速且つ確実に選択できる。
【特許文献１】特開平１１−３２２６７号公報
【発明の開示】
【発明が解決しようとする課題】
【０００４】
しかし、特許文献１の技術の場合、対象とするものは番組選択のみで、その他の操作に対しては全く考慮されていない。近年、テレビジョン受信装置も多機能になり、操作は番組選択に限らず、様々の操作がある。それに対応する操作キーをすべてリモコンに設けると、サイズが大きくなるし、操作も複雑になる。しかも、ユーザにとっては、あまり使用しない機能もある一方、頻繁に使用する機能もあり、一律にリモコンに設けることは実用的ではない。
【０００５】
そこで、本発明は、上記課題を考慮し、ユーザのお好み操作項目を操作キーに対して本来の操作以外に設定して、迅速且つ簡便な操作を可能とするお好み操作項目登録装置を提供することを目的とする。
【課題を解決するための手段】
【０００６】
本発明は、操作キーに対して本来の操作以外の操作をお好み操作として設定することが可能な操作部と、操作キーに対応づけた操作内容の操作項目を記憶する記憶部と、お好み操作に関する画面を表示する表示部と、前記操作項目の情報を前記記憶部から読み出し、操作キーに対応づけて前記表示部に一覧表示させ、新たな設定あるいは変更設定された項目を前記記憶部に記憶させる制御部とを備えたことを特徴とする。
【０００７】
ここで、前記制御部は、前記表示部に複数の操作項目を同時にお好み操作設定画面として表示させて設定させることを特徴する。特に、お好み操作設定のモードになったときに複数操作項目のお好み操作設定画面を表示させる。
【０００８】
また、前記制御部は、前記表示部に一覧表示された操作項目の中で指定された項目のみをお好み設定画面として前記一覧表示と共に表示させて設定させることを特徴とする。特に、お好み操作による操作を行なうモードであるときに、指定された項目のみをお好み設定画面として表示させることを特徴とする。
【発明の効果】
【０００９】
本発明によれば、ユーザは操作部の操作キーにお好みの操作内容を設定できるので、操作部のサイズを大きくすることなく、必要な操作機能だけ設定できる。しかも、必要に応じて設定を変更して、使い勝手のよい操作装置を手に入れることができるので、迅速且つ正確な操作が可能となる。
【００１０】
また、複数のお好み操作項目を表示して設定や変更ができるので、各項目を比較しながら変更可能であり、複数の項目を迅速に設定できる。特に、設定項目が多数に及ぶ場合は、複数のお好み操作項目を表示するのが便利である・
【００１１】
また、お好み操作の一覧表示と同時に指定のお好み操作項目の設定画面で設定が可能であると、１つのお好みの操作項目だけ変更設定した場合等には迅速に設定処理が可能で、便利である。たとえば、お好み操作モードの時のように、１つ程度の項目を設定変更したい場合等に有用である。
【発明を実施するための最良の形態】
【００１２】
以下、本発明の実施の形態を添付図面を参照して説明する。
【００１３】
図１は、本発明に係るお好み操作設定装置であるテレビジョン受信装置を示すブロック図である。このテレビジョン受信装置は、リモートコントロール装置（以下、リモコンと称する）にユーザがお好みの操作項目を設定して機能を果たさせるためにその設定画面を表示する機能を有する。図１のテレビジョン受信装置は、この機能に関わる部分のみが描かれており、リモコン１、リモコン受光部２、メインＣＰＵ３、ＥＥＰＲＯＭ４、ＯＳＤ（On Screen Display）制御回路５、テレビジョンモニタ６を備える構成である。
【００１４】
ユーザがリモコン１を用いて操作を行なうと、赤外線信号がリモコン１から出力され、リモコン受光部２で受信され、電気信号（操作制御信号）に変換される。この操作制御信号は、メインＣＰＵ３に入力され、この操作制御信号に基づいてメインＣＰＵ３が制御を行なう。詳しくは後述するが、リモコン１のキーに対してユーザがお好みの操作項目を設定する場合に、テレビジョンモニタ６に設定メニューを表示する。メインＣＰＵ３はＥＥＰＲＯＭ４から設定情報を読み出し、この情報に基づいてＯＳＤ制御回路５にてお好みメニュー設定画面の表示画像データを生成させてテレビジョンモニタ６に表示させる。ユーザは、この設定メニュー画面を利用してリモコン１によりお好み設定を行い、メインＣＰＵ３は、お好み設定の情報をＥＥＰＲＯＭ４に格納する。また、お好み設定の情報をＥＥＰＲＯＭ４に格納した設定項目を設定メニュー画面に表示させて設定内容を変更することも可能である。
【００１５】
図２はリモコン１の外観図である。リモコン１は、上部に配置した数字キー１３と、ユーザのお好みに合わせてキー設定を行なうメニューを表示させるお好みメニューキー８と、テレビジョン受信装置の操作のためのメニューを表示させるメニューキー９と、テレビジョンモニタ６に表示されるカーソルを移動するカーソルキー１０と、選択決定を行なう決定キー１１と、処理を１つ戻す戻るキー１２とから構成される。赤外線を出射する部分は図示しないが、図２のリモコンの上部側面に配置されている。
【００１６】
この実施形態では、数字キー１３の部分（１〜１２）はテレビ放送のチャンネルが対応づけて設定され、テレビジョン受信装置のチャンネル切換に用いている。この数字キー１３の部分をテレビ放送のチャンネル以外の他の機能を対応づけて設定する。これはユーザの好みに従って設定可能であり、設定内容の変更も可能である。
なお、テレビジョン受信装置のチャンネル数字キー１３に対して設定可能としたが、これに限るわけではなく、他のキーに対しても設定できる。
【００１７】
図３は、ＥＥＰＲＯＭ４に格納するお好みメニューの設定項目とその内容を示す図である。図３（ａ）はリモコンの数字キー番号に対応づけている登録内容を示すもので、その項目は、リモコンの数字キー番号、登録されている数字の登録番号、テレビ放送の登録チャンネルデータ、登録したお好みメニューの内容を示す登録お好みメニュー項目である。
図３（ｂ）は、お好みメニュー項目とその設定値を示すもので、例えば、ＡＶポジションでは「ゲーム」、音声では「ステレオ」、映像オフでは「切」等である。
【００１８】
次に、お好みメニューの設定について説明する。
まずは、お好みメニューを登録する場合について説明する。図４は、お好みメニューの登録の処理を示すフローチャートである。図５は、テレビジョンモニタ６に表示されたメニュー画面を示す図であり、図６はテレビジョンモニタ６に表示されたお好みメニュー登録画面を示す図である。
【００１９】
ユーザがリモコン１のメニューキー９を押すと、リモコン受光部２を介してメインＣＰＵ３にメニューキーがＯＮしたことを示す信号が入力される。メインＣＰＵ３は、メニューキー９が押されてメニュー表示の指示があったかを確認し（ステップＡ１−１）、メニュー表示の指示があれば、ＯＳＤ制御回路５にメニュー表示の指示を出す。
【００２０】
ＯＳＤ制御回路５は図５に示すメニュー画面を生成し、テレビジョンモニタ６に表示させる（ステップＡ１−２）。このメニュー画面２０は、図５に示すように、「メニュー」という画面名２１、「映像、音声、設定、…」等の処理項目２２、「設定」においてプルダウンで表示するメニュー項目２３、リモコンのキー操作説明２４からなる。まずは、カーソルは第１層の表示の処理項目２２「設定」に位置しており、その項目のプルダウンメニュー２３が表示される。こうして、設定に必要な項目が一覧表示される。
【００２１】
ユーザがリモコン１のカーソルキー１０を操作すると、その操作指示の制御信号がリモコン受光部２を介してメインＣＰＵ３に入力され、メインＣＰＵ３はカーソル移動指示があったことを確認する（ステップＡ１−３）。そしてメインＣＰＵ３が、メニュー項目２１にカーソルを移動させる指示をＯＳＤ制御回路５に送り、ＯＳＤ制御回路５がテレビジョンモニタ６に表示されているメニュー画面２０で、指示された方向にカーソルを移動する（Ａ１−４）。例えば、図５に示すように、処理項目２２の「設定」からカーソルが移動し、メニュー項目２３の「言語設定」にカーソルが移動する。
【００２２】
次に、メインＣＰＵ３は、ユーザがリモコン１のお好みメニューキー９を押したかを確認し（ステップＡ１−５）、押された場合、カーソル位置のメニュー項目がお好みメニューへの登録が可能かを確認する（ステップＡ１−６）。メニュー項目が登録可能であった場合、図６に示すお好みメニュー登録用の設定画面３０を表示する（ステップＡ１−７）。メニュー項目が登録不可の場合、メインＣＰＵ３は、ＯＳＤ制御回路５に「登録できない項目です。」というメッセージを表示させる（ステップＡ１−８）。
【００２３】
図６に示すお好みメニュー登録設定画面３０は、「お好みメニュー登録設定画面」という画面名３１、設定項目３２、リモコン１のキー操作説明３３からなる。お好みメニュー登録設定画面３０が表示されたとき、メニュー画面２０のメニュー項目２３においてカーソルが指示した項目「言語設定」にカーソルが位置している。
【００２４】
メインＣＰＵ３は、ユーザがリモコン１の決定キー１１を押したかを確認し（ステップＡ１−９）、押されていれば、カーソルの位置したポジションには既登録の項目があるかをＥＥＰＲＯＭ４に格納されているお好みメニュー項目情報から確認する（ステップＡ１−１０）。既に登録されているお好みメニュー項目があれば、メインＣＰＵ３は、ＯＳＤ制御回路５に「既に登録されている項目があります。新規登録しますか？（Ｙｅｓ／Ｎｏ）」とテレビジョンモニタ６にＯＳＤ表示させる。
【００２５】
メインＣＰＵ３は、ユーザが「Ｙｅｓ」を選択したかどうかを確認し（ステップＡ１−１３）、選択した場合は、新規項目の登録処理を行い、既登録項目のポジションを変更する処理を行ない、ＯＳＤ制御回路５に「登録しました」とＯＳＤ表示させる。
【００２６】
ここで、新規項目の登録処理は、図６の表示画面で設定した内容を、メインＣＰＵ３がＥＥＰＲＯＭ４に格納することである。
また既登録項目のポジション変更の処理は、変更先のポジションを未登録のキーに自動的に割り振ってもよいし、未登録キーがない場合はユーザに移動先のポジションを指定させるものでもよい。
【００２７】
ステップＡ１−１３で「Ｙｅｓ」が選択されていなければ、ステップＡ１−９に戻る。また、ステップＡ１−１０において、既登録の項目がない場合は、新規項目の登録処理を行い（ステップＡ１−１２）、ステップＡ１−１５に進む。
【００２８】
こうして、ユーザはリモコン１の操作キーにお好みの操作内容を設定できるので、リモコン１のサイズを大きくすることなく、必要な操作機能だけ設定できる。しかも、必要に応じて設定を変更して、使い勝手のよい操作に装置を手に入れることができるので、迅速且つ正確な操作が可能となる。
【００２９】
次に、ユーザがリモコン１のお好みメニューキー８を選択してリモコン１のキー操作をお好みメニューの優先モードにした場合について説明する。この場合は、キー操作はお好みメニューとなる。
図７は、お好みメニューキー８を選択した場合の処理を示すフローチャートである。図８は、テレビジョンモニタ６に表示されたお好みメニュー画面を示す図である。
【００３０】
メインＣＰＵ３は、ユーザがリモコン１のお好みメニューキー８を押したか否かを確認し（ステップＢ１−１）、お好みメニューキー８が押された場合、ＥＥＰＲＯＭ４のお好みメニュー項目の情報を読み出し、この情報にしたがってお好みメニュー画面を表示する指示をＯＳＤ制御回路５に送出する。ＯＳＤ制御回路５は、図８に示すお好みメニュー画面をテレビジョンモニタ６に表示する。
【００３１】
図８に示すお好みメニュー画面４０は、項目内容を表示するお好みメインメニュー４１とメニュー項目の変更を行なうためのお好みサブメニュー４５とから構成される。お好みメインメニュー４１は、表題４２と、メニュー項目４３と、キー操作説明４４とから構成されている。また、お好みサブメニュー４５は、メニュー項目名４６と、項目処理内容４７と、設定値４８とから構成されている。
【００３２】
ＯＳＤ制御回路５は、まずお好みメニュー画面４０のメインメニュー画面４１のみを表示する。ユーザに確認させるため、ポジションＮｏ．（１〜１２）、項目名（ＡＶポジション、音声、映像オフ、言語設定、…）、設定値（ゲーム、ステレオ、切、日本語、…）、カーソルの位置を表示する。こうして、ユーザは、自分がどのようにリモコン１のキーをお好み設定したかが一覧表示されて確認できるので、迅速且つ正確にキー操作が可能となる。
【００３３】
しかし、この時点でユーザがお好みメニューを変更したい場合がある。このとき、前述ように、メニュー設定画面を呼び出すのは、操作が煩雑となるので、サブメニューとして簡単に設定画面を呼び出せる機能が付加されている。
【００３４】
メインメニューが表示された状態で、ユーザが、変更したいお好みメニューのポジションキー（１〜１２）を押した場合、メインＣＰＵ３は、お好み項目が設定されている特定のポジションキー（１〜１２）が押されたことを確認し（ステップＢ１−３）、該当ポジションに対応したお好みサブメニュー画面４５をＯＳＤ制御回路５によりテレビジョンモニタ６に表示させる。
【００３５】
お好みサブメニュー画面４５は、メニュー項目の設定処理を行なうための操作画面であって、メニュー項目名４６と、処理内容４７と、設定値４８と、キー操作説明４９とから構成されている。このお好みサブメニュー画面４５を用いて、ユーザはお好みメニューの削除、入れ替え、設定値の変更を行なうことが可能である。メインＣＰＵ３は、変更した内容をＥＥＰＲＯＭ４に格納して変更処理を行なう（ステップＢ１−５）。
【図面の簡単な説明】
【００３６】
【図１】本発明に係るお好み操作設定装置であるテレビジョン受信装置を示すブロック図である。
【図２】リモコンの外観図である。
【図３】ＥＥＰＲＯＭ４に格納するお好みメニューの設定項目とその内容を示す図である。
【図４】お好みメニューの登録の処理を示すフローチャートである。
【図５】テレビジョンモニタ６に表示されたメニュー画面を示す図である。
【図６】テレビジョンモニタ６に表示されたお好みメニュー登録画面を示す図である。
【図７】お好みメニューキー８を選択した場合の処理を示すフローチャートである。
【図８】テレビジョンモニタ６に表示されたお好みメニュー画面を示す図である。
【符号の説明】
【００３７】
１  リモコン
２  リモコン受光部
３  メインＣＰＵ
４  ＥＥＰＲＯＭ
５  ＯＳＤ制御回路
６  テレビジョンモニタ
８  メニューキー
９  メニューキー
１０  カーソルキー
１１  決定キー
１２  戻るキー
１３  数字キー
２０  メニュー画面
２１  画面名
２２  処理項目
２３  メニュー項目
２４  キー操作説明
３０  メニュー登録設定画面
３１  画面名
３２  設定項目
３３  キー操作説明
４０  メニュー画面
４１  メインメニュー画面
４２  表題
４３  メニュー項目
４４  キー操作説明
４５  サブメニュー
４６  サブメニュー画面
４６  メニュー項目名
４７  処理内容
４８  設定値
４９  キー操作説明
【図１】
2006295805.tif 000003
【図２】
2006295805.tif 000004
【図３】
2006295805.tif 000005
【図４】
2006295805.tif 000006
【図５】
2006295805.tif 000007
【図６】
2006295805.tif 000008
【図７】
2006295805.tif 000009
【図８】
2006295805.tif 000010